(57)【要約】      （修正有）【課題】薬剤の服用忘れを防止できると共に、薬剤を服用したか否かの確認が可能な服用忘れ防止万年カレンダーを提供する。【解決手段】月文字が切換自在に表示される月表示部81と、曜日文字が並び替え自在に表示される曜日表示部82と、日付文字が表示された日付表示部83と、を備えた服用忘れ防止万年カレンダーであって、薬剤ｙの収容部11ａを有する包装シートと、その開口部側を密閉するカバーシートと、を備えたＰＴＰシート１を挟持する表て板部２と裏板部を有し、表て板部２と裏板部を重なるように折り畳んだ閉状態の対応する位置に表て窓部21と裏窓部が貫設され、閉状態と開状態とに薄肉ヒンジ部４にて開閉自在とした、一枚板状の保持部材５を備え、保持部材５を閉状態に保持するロック手段６と、表て窓部21に露出された収容部11ａを押圧して薬剤ｙを裏窓部を介して放出するための半球凸状部を有する薬剤押出部材７と、を具備する。【選択図】図５
2013166343.tif 000002
【特許請求の範囲】
【請求項１】
月文字が切換自在に表示される月表示部（81）と、曜日文字が並び替え自在に表示される曜日表示部（82）と、日付文字が表示された日付表示部（83）と、を備えた服用忘れ防止万年カレンダーであって、
薬剤（ｙ）を収納するための収容部（11ａ）を有する包装シート（11）と、該収容部（11ａ）の開口部（11ｂ）側を密閉するカバーシート（12）と、を備えたＰＴＰシート（１）を挟持する表て板部（２）と裏板部（３）とを有し、該表て板部（２）と該裏板部（３）を重なるように折り畳んだ閉状態にて対応する位置に表て窓部（21）と裏窓部（31）が貫設され、上記閉状態と開いた開状態とに薄肉ヒンジ部（４）にて開閉自在とした、一枚板状の保持部材（５）を備え、
挟持された上記ＰＴＰシート（１）の上記収容部（11ａ）を、日付文字に対応する上記表て窓部（21）に、表て面（２ａ）側へ露出状として保持可能であり、
さらに、上記保持部材（５）を上記閉状態に保持するロック手段（６）と、上記表て窓部（21）に露出された上記収容部（11ａ）を押圧して上記薬剤（ｙ）を上記裏窓部（31）を介して放出するための半球凸状部（71）を有する薬剤押出部材（７）と、を具備することを特徴とする服用忘れ防止万年カレンダー。
【請求項２】
上記薬剤押出部材（７）は、上記保持部材（５）に吊り下げコード（70）を介して取着されている請求項１記載の服用忘れ防止万年カレンダー。
【請求項３】
上記表て窓部（21）よりも、上記裏窓部（31）を大きく形成した請求項１又は２記載の服用忘れ防止万年カレンダー。
【請求項４】
上記裏板部（３）は、上記開状態で上記ＰＴＰシート（１）を位置決めするための枠状の凸条部（37）を有し、
上記表て板部（２）は、上記閉状態で上記凸条部（37）が差し込まれる枠状の凹溝部（27）を有する請求項１，２又は３記載の服用忘れ防止万年カレンダー。
【請求項５】
上記ロック手段（６）は、上記保持部材（５）に着脱自在な横断面コの字状の挟持部材（61）を備えている請求項１，２，３又は４記載の服用忘れ防止万年カレンダー。
【請求項６】
上記ロック手段（６）は、上記表て板部（２）に直交する枢着軸心（Ｅ）廻りに揺動自在な横断面コの字状の揺動部材（62）を備えている請求項１，２，３又は４記載の服用忘れ防止万年カレンダー。
【請求項７】
上記ロック手段（６）は、上記表て板部（２）及び上記裏板部（３）の一方に揺動自在に一体に設けられた揺動突片部（67）と、上記表て板部（２）及び上記裏板部（３）の他方に突設され上記揺動突片部（67）を係止する係止凸部（68）と、を備えている請求項１，２，３又は４記載の服用忘れ防止万年カレンダー。
【発明の詳細な説明】
【技術分野】
【０００１】
本発明は、服用忘れ防止万年カレンダーに関する。
【背景技術】
【０００２】
従来、処方された薬剤を服用したことを、要服用者、又は、家族等の介護者が、メモ書き部を有するカレンダー（例えば特許文献１参照）に、記入していた。
【先行技術文献】
【特許文献】
【０００３】
【特許文献１】実開平７−２３５６６号公報
【発明の概要】
【発明が解決しようとする課題】
【０００４】
しかし、カレンダーで日付を確認していても、要服用者が薬剤を服用することを忘れて、或いは、介護者が要服用者に薬剤を服用させることを忘れていると、そのまま、１日が過ぎて薬剤が服用されないといった問題があった。
また、カレンダーに何も記入されていないと、まだ薬剤が服用されていないのか（服用忘れか）、それとも、薬剤が服用されたのにカレンダーに記入することを忘れたのか、が確認できないという問題もあった。
【０００５】
そこで、本発明は、薬剤の服用忘れを防止できると共に、薬剤を服用したか否かの確認が可能な服用忘れ防止万年カレンダーの提供を目的とする。
【課題を解決するための手段】
【０００６】
上記目的を達成するために、本発明の服用忘れ防止万年カレンダーは、月文字が切換自在に表示される月表示部と、曜日文字が並び替え自在に表示される曜日表示部と、日付文字が表示された日付表示部と、を備えた服用忘れ防止万年カレンダーであって、薬剤を収納するための収容部を有する包装シートと、該収容部の開口部側を密閉するカバーシートと、を備えたＰＴＰシートを挟持する表て板部と裏板部とを有し、該表て板部と該裏板部を重なるように折り畳んだ閉状態にて対応する位置に表て窓部と裏窓部が貫設され、上記閉状態と開いた開状態とに薄肉ヒンジ部にて開閉自在とした、一枚板状の保持部材を備え、挟持された上記ＰＴＰシートの上記収容部を、日付文字に対応する上記表て窓部に、表て面側へ露出状として保持可能であり、さらに、上記保持部材を上記閉状態に保持するロック手段と、上記表て窓部に露出された上記収容部を押圧して上記薬剤を上記裏窓部を介して放出するための半球凸状部を有する薬剤押出部材と、を具備するものである。
【０００７】
また、上記薬剤押出部材は、上記保持部材に吊り下げコードを介して取着されているものである。
また、上記表て窓部よりも、上記裏窓部を大きく形成したものである。
また、上記裏板部は、上記開状態で上記ＰＴＰシートを位置決めするための枠状の凸条部を有し、上記表て板部は、上記閉状態で上記凸条部が差し込まれる枠状の凹溝部を有するものである。
【０００８】
また、上記ロック手段は、上記保持部材に着脱自在な横断面コの字状の挟持部材を備えているものである。
または、上記ロック手段は、上記表て板部に直交する枢着軸心廻りに揺動自在な横断面コの字状の揺動部材を備えているものである。
または、上記ロック手段は、上記表て板部及び上記裏板部の一方に揺動自在に一体に設けられた揺動突片部と、上記表て板部及び上記裏板部の他方に突設され上記揺動突片部を係止する係止凸部と、を備えているものである。
【発明の効果】
【０００９】
本発明によれば、日付を確認する際に、自然と薬剤が視界に入り、薬剤を服用すること（服用させること）を思い出させることができ、薬剤の服用忘れを防止できる。薬剤を服用したか否かを、表て窓部からＰＴＰシートの収容部に薬剤が有るか否かを見ることで簡単に確認できる。ＰＴＰシートが交換自在（取り出し自在）で、毎年毎月、繰り返して使用できる。ＰＴＰシートから容易にかつ確実に薬剤を取り出すことができる。
【図面の簡単な説明】
【００１０】
【図１】本発明の実施の一形態を示す正面図である。
【図２】実施の一形態の側面図である。
【図３】実施の一形態の背面側から見た斜視図である。
【図４】保持部材の開状態を示す正面図である。
【図５】使用状態を説明する正面図である。
【図６】ロック手段の他の一例を示す正面図である。
【図７】ロック手段の他の一例を示す側面図である。
【図８】ロック手段の他の一例のロック解除状態を示す要部正面図である。
【図９】ロック手段の他の一例のロック解除状態を示す要部背面図である。
【図１０】ロック手段の別の一例を示す正面図である。
【図１１】ロック手段の別の一例を示す側面図である。
【図１２】ロック手段の別の一例を示す背面図である。
【図１３】ロック手段の別の一例を説明するための要部断面図であって、（ａ）はロック解除状態の要部断面図であり、（ｂ）はロック解除状態とロック状態の途中状態の要部断面図であり、（ｃ）はロック状態の要部断面図である。
【図１４】ＰＴＰシートの一例を示す正面図である。
【図１５】図14のＡ−Ａ拡大断面図である。
【発明を実施するための形態】
【００１１】
以下、図示の実施形態に基づき本発明を詳説する。
本発明に係る服用忘れ防止万年カレンダーは、図１に示す実施の一形態のように、月文字が切換自在に表示される月表示部81と、曜日文字が並び替え自在に表示される要部表示部82と、日付文字が表示された日付表示部83と、を備えている。
【００１２】
図１乃至図４に示すように、正面視矩形状の表て板部２と、正面視矩形状の裏板部３を有する保持部材５を備えている。
この表て板部２と裏板部３の基端縁（下端縁）が薄肉ヒンジ部４を介して連結され、図１乃至図３に示すように積み重なるように折り畳んだ閉状態と、図４に示すように開いた開状態と、に開閉自在に設けられた樹脂製の一枚板状である。
【００１３】
保持部材５は、閉状態にて対応する位置に表て窓部21と裏窓部31が各々円形として貫設されている。
表て板部２に貫設された表て窓部21と、裏板部３に貫設された裏窓部31と、が閉状態で連通可能（円形の中心点が一致するよう）に配設されている。表て窓部21は、表て板部２の表て面２ａに表示された日付文字に対応して配設されている。言い換えると、表て窓部21に対応するように日付表示部83及び曜日表示部82を配設している。
【００１４】
表て窓部21及び裏窓部31の横方向の間隔寸法（ピッチ寸法）Ｌ２，Ｌ３は、図４と図14に示すような帯状のＰＴＰシート１の収容部11ａの長手方向の間隔寸法（ピッチ寸法）Ｌ１と、同等に形成されている。ＰＴＰシート１の収容部11ａに対応させて表て窓部21及び裏窓部31を横一列に貫設している。閉状態で７つの表て窓部21及び裏窓部31を横一列に配設し、さらに、その列を上下方向に４段設けている。また、閉状態で３つの表て窓部21及び裏窓部31を横一列に配設し、最下段に１段設けている。
【００１５】
また、表て窓部21よりも裏窓部31を大きく形成し、薬剤ｙが容易に裏窓部31から放出可能とするのが望ましい。また、表て窓部21と裏窓部31は、円形に限らず、横長の楕円形状や長円形状とし、様々な大きさや形状の薬剤ｙや収容部11ａに対応可能とするも良い。
【００１６】
ここで、ＰＴＰシート１とは、図14及び図15に於て、錠剤やカプセル剤等の複数の薬剤ｙを、並べて密封したものであって、薬剤ｙを収納するための独立した収容部（ポケット部）11ａを有する透明乃至半透明の樹脂製の包装シート11と、収容部11ａの開口部11ｂ側を密閉するアルミニウム等の金属製薄膜状のカバーシート12と、を備え、収容部11ａを押圧することで、薬剤ｙがカバーシート12を破って、放出されるものである。なお、収容部11ａと収容部11ａの間には、太い破線で示すように切り離し用のミシン目が設けられている。また、ＰＴＰシート１のＰＴＰとは、プレス（Press）、スルー（Through）、パック（Package）の略である。
【００１７】
そして、保持部材５は、閉状態で、表て板部２と裏板部３でＰＴＰシート１を挟持するように設けている。
図４に示すように、裏板部３は、内面３ａに、枠状の凸条部37を有している。凸条部37は、複数の裏窓部31が横一列に並んだ裏窓部群を一列ずつ包囲するように矩形状（包囲枠状に）配設されている。つまり、凸条部37に囲まれた、正面視帯状かつ断面浅皿凹状のシート載置部36が、ＰＴＰシート１を載置（仮保持）可能な大きさに、複数段（五段）形成されている。そして、凸条部37に包囲された裏窓部31近傍平面がＰＴＰシート１のカバーシート12側に対応する挟持用平面３ｅとなる。
【００１８】
凸条部37は、ＰＴＰシート１の収容部11ａと、裏窓部31とを略同位置に配設させるための位置決め（仮置き）用の当り部である。具体的には、収容部11ａの中心と、裏窓部31（閉状態とした場合の表て窓部21）の中心と、の上下方向位置を略同位置に位置決めする。
【００１９】
また、凸条部37は、複数の薬剤ｙが収納された帯状のＰＴＰシート１を、１つの薬剤ｙずつ小分けに切り離して小片状にせずに、帯状のまま位置決め可能としている。より具体的には、７つ裏窓部31が横一列に並んだ裏窓部31群を包囲する凸条部37（７つ裏窓部31に対応するシート載置部36）は、横一列に７個の薬剤ｙを収納している帯状のＰＴＰシート１の各収容部11ａの中心と、各裏窓部31（閉状態とした場合の表て窓部21）の中心と、の上下左右方向位置を、位置決め可能に形成している。
なお、ＰＴＰシート１の長手方向の両端の耳部19，19が切り取られていない（両端耳部19，19を有する）帯状のＰＴＰシート１を位置決め可能に形成するのが望ましい。
【００２０】
また、表て板部２は、内面（裏面）２ｂに、閉状態で凸条部37が差し込まれる枠状の凹溝部27を有している。そして、凹溝部27に包囲された表て窓部21近傍平面を、ＰＴＰシート１の包装シート11側に対応する挟持用平面２ｅとしている。
【００２１】
また、図１乃至図３に示すように、保持部材５を閉状態に保持するロック手段６を備えている。
ロック手段６は、閉状態の保持部材５に着脱自在な横断面コの字状の複数の樹脂製の挟持部材61，61，61から成る。保持部材５から挟持部材61を離間させることで、保持部材５を開操作可能な、ロック解除状態（開閉自在状態）となる。また、挟持部材61を閉状態の保持部材５の縁部に接近させて挟持状に嵌め込むことで、保持部材５を開操作不可能なロック状態とする。
【００２２】
複数の挟持部材61とは、閉状態の保持部材５の左右側縁部を挟持する一対の左右側縁部用挟持部材61Ａ，61Ｂと、閉状態の保持部材５の上縁部を挟持する１つの上縁部用挟持部材61Ｃと、である。
【００２３】
また、図１と図２及び図５に示すように、保持部材５に挟持されたＰＴＰシート１から薬剤ｙを押し出すための薬剤押出部材７を備えている。
図１と図２に於て、薬剤押出部材７は、収容部11ａを指に代わって押圧するための丸山型の半球凸状部71と、その半球凸状部71の反対側に指の滑りを防止し座りを良くする球面座部（半球凹状部）72と、半球凸状部71が表て窓部21に所定深さ以上押し込まれるのを防止する外鍔状の当り部73と、を有している。
【００２４】
また、薬剤押出部材７は、保持部材５に吊り下げコード70を介して取着されている。
吊り下げコード70は、伸縮自在なコイルバネ型である。また、表て板部２の表て面２ａから突設した吊り下げ部79に懸下状に保持されている。吊り下げ部79は表て板部２に一体に設けている。
なお、吊り下げ部79は裏板部３の側面部や上面部から一体に突設させるも自由であり、形状も自由である（図10乃至図13参照）。また、吊り下げ部79は、保持部材５にピン部材を差し込むことで形成し、表て板部２或いは裏板部３に着脱自在に設けても良い。また、吊り下げ部79は、表て板部２又は裏板部３に貫設した孔とするも良い。
【００２５】
また、図３に於て、保持部材５を傾斜状に支持する樹脂製の支持脚部材８を備えている。支持脚部材８は、上端部が裏板部３の背面３ｂに設けられた差込口部38に着脱自在に差し込まれ、卓上万年カレンダーとして使用可能としている。
【００２６】
また、図１及び図４に於て、月文字が切換自在に表示される月表示部81は、月文字が表示され保持部材５に挟持される月文字プレート88と、表て板部２に貫設された月表示窓部28と、を備えている。月文字プレート88は、薄板状であって、両面に月文字が表示されている。また、裏板部３に形成された月プレート用凹部35に取り出し自在に収納されている。保持部材５の閉状態においては、表て板部２と裏板部３の挟持力によって横方向の移動（滑り）が規制される。月表示窓部28は、月文字プレート88に表示されている一月分の月文字を表て面２ａ側に露出させる大きさに形成されている。そして、月文字プレート88の配置や上下方向、表裏を変えることで、月表示窓部28から露出する月文字を切換自在としている。
【００２７】
また、曜日文字が並び替え自在に表示される曜日表示部82は、各曜日文字が夫々表示され保持部材５に挟持される７枚の曜日文字プレート89と、表て板部２に貫設された７つの曜日表示窓部29と、を備えている。１枚の曜日文字プレート89は、裏板部３に形成された曜日プレート用凹部34に取り出し自在に収納され（嵌め込まれ）ている。また、裏板部３に、曜日プレート用凹部34と連通する曜日プレート押出窓部33を貫設している（図３参照）。そして、曜日文字プレート89を並び替えることで、曜日表示窓部29から露出する曜日文字を並び替え自在としている。
【００２８】
次に、本発明の服用忘れ防止万年カレンダーの実施の一形態の使用方法（作用）について説明する。
図４に示すように、保持部材５を開状態にして、服用すべき月に適合するように、月文字プレート88及び曜日文字プレート89を配置する。
【００２９】
例えば、薬剤ｙが毎日服用するように処方されている場合、ＰＴＰシート１は、複数の薬剤ｙが横一列に並んでいる帯状のままシート載置部36に載置される。ＰＴＰシート１を１つの薬剤ｙに対応させて小片状に切り離す必要がなく、要服用者や介護者等の使用者の手間や、薬剤ｙの紛失の虞が軽減される。
【００３０】
そして、シート載置部36に配置されたＰＴＰシート１は、凸条部37によって位置決めされる。保持部材５を閉状態とする際に、収容部11ａが表て板部２に潰される虞が軽減され、表て窓部21を介して、表て面２ａ側に容易に露出状に保持される。
【００３１】
閉状態の保持部材５は、図１乃至図３に示すように、ロック手段６によって、不用意に開状態となるのを規制された矩形平板状となって、携帯自在となる。また、図３に示すように支持脚部材８を取着することで卓上カレンダーとなって配設され、人目につき易く、服用忘れをより一層防止できる。
【００３２】
そして、図５に示すように、要服用者や介護者等の使用者が、当日の日付文字に対応する表て窓部21から露出する収容部11ａに、薬剤押出部材７を押圧して、薬剤ｙを取り出す。具体的には、薬剤押出部材７の球面座部72に指をあて、半球凸状部71で収容部11ａを、押圧する。薬剤ｙは、スムーズに裏窓部31を介して放出され、取り出される。
【００３３】
薬剤ｙが取り出された収容部11ａは、表て窓部21に露出状に保持されたままであるため、使用者が、薬剤ｙを服用したこと、又は、薬剤ｙを服用させたことを、忘れても、当日の日付文字に対応する表て窓部21から露出する収容部11ａ内に薬剤ｙが存在しているか否かを見ることで、薬剤ｙが服用されたか否かを、一目で確認させる。
【００３４】
また、ＰＴＰシート１内の薬剤ｙが無くなった場合や、次の月になった場合に、ロック手段６を、ロック解除状態にして、保持部材５を開状態可能にする。そして、開状態とした保持部材５から、薬剤ｙが収納されていない古い（使用後の）ＰＴＰシート１が取り出される。保持部材５は、薬剤ｙが収容されている新たなＰＴＰシート１を挟持し、ロック手段６で閉状態が保持される。つまり、保持部材５はＰＴＰシート１を交換自在である。
【００３５】
なお、例えば、処方される薬剤ｙが１週間に１つの場合は、帯状のＰＴＰシート１を、１つの薬剤ｙを収容した小片状に、複数分割して、服用すべき日付（曜日）に対応する表て窓部21夫々にて、露出状に保持させれば良い。
【００３６】
次に、ロック手段６の他の一例について説明する。
図６乃至図９に於て、ロック手段６は、閉状態の保持部材５の表て板部２に、直交する枢着軸心Ｅ（Ｅ１，Ｅ２，Ｅ３）廻りに揺動自在に設けられた横断面コの字状の複数の樹脂製の揺動部材62，62，62（62Ａ，62Ｂ，62Ｃ）を備えている。各揺動部材62（の基端部は、表て板部２に枢着軸63（63Ａ，63Ｂ，63Ｃ）を介して枢着されている。
また、裏板部３は、揺動部材62の枢着部（基端部）近傍に、Ｕ字状乃至コノ字状の逃がし切欠部64を有している。つまり、揺動部材62の基端部は、逃がし切欠部64によって裏板部３には枢着されておらず、常時、表て板部２と裏板部３を挟持していない（非挟持）状態となっている。ロック手段６は、揺動部材62と、枢着軸63と、逃がし切欠部64と、から成る。
【００３７】
図６と図７に示すように、揺動部材62を、閉状態の保持部材５の縁部に挟持状に差し込んで保持したロック状態から、図８及び図９に示すように、揺動部材62の先端部62ａを保持部材５から離間する方向（開く方向）に揺動させる。すると、揺動部材62の先端部62ａから中間部にわたっては、保持部材５から外れ、基端部は逃がし切欠部64によって、常時、非挟持状態であるため、保持部材５が開操作可能な、ロック解除状態となる。
【００３８】
また、複数の揺動部材62とは、具体的には、閉状態の保持部材５の左右側縁部を挟持する一対の左右側縁部用揺動部材62Ａ，62Ｂと、閉状態の保持部材５の上縁部を挟持する１つの上縁部用揺動部材62Ｃと、である。
なお、揺動部材62を裏板部３に枢着し、表て板部２に逃がし切欠部64を設けても良い。
【００３９】
次に、ロック手段６の別の一例について説明する。
図10乃至図13に於て、ロック手段６は、表て板部２の縁部に揺動自在に一体に設けられた複数の揺動突片部67（67Ａ，67Ｂ，67Ｃ）と、裏板部３の背面３ｂに突設され揺動突片部67を係止するための丸山型の係止凸部68（68Ａ，68Ｂ，68Ｃ）と、を備えている（から成る）。
【００４０】
複数の揺動突片部67とは、具体的には、閉状態の保持部材５の左右側縁部を保持する一対の左右側縁部用揺動突片部67Ａ，67Ｂと、閉状態の保持部材５の上縁部を保持する１つの上縁部用揺動突片部67Ｃと、である。また、複数の係止凸部68は、左右側縁部用係止凸部68Ａ，68Ｂと、上縁部用係止凸部68Ｃである。
なお、揺動突片部67を裏板部３に設け、係止凸部68を表て板部２の表て面２ａに設けても良い。また、係止凸部68は、外側面（上下左右側面）に設けても良い。
【００４１】
図13に於て、揺動突片部67は、表て板部２から突出する基端側に薄肉連結部67ｂを有し、先端側に、係止凸部68と係合するための係止爪部67ａを有している。
揺動突片部67は、図13（ａ）に示すロック解除状態から、揺動突片部67の係止爪部67ａを係止凸部68に接近させると、図13（ｂ）に示すように、係止爪部67ａが係止凸部68の頂部を弾性変形して乗り越えつつ、薄肉連結部67ｂ側が引っ張り力を受けて弾性変形する。そして、図13（ｃ）に示すように、係止爪部67ａが係止凸部68を乗り越えると、薄肉連結部67ｂの弾性的な復元力が働いて、係止爪部67ａは係止凸部68に強く圧接して摩擦力により係止され、ロック状態となる。表て板部２の揺動突片部67で裏板部３を抱き込み状に保持して、閉状態を保持するロック状態としている。
【００４２】
なお、本発明は、設計変更可能であって、閉状態の保持部材５の正面視形状は、円形や楕円形、台形状、動物やキャラクター等の輪郭型、等自由である。表て板部２の表て面２ａや、挟持部材61又は揺動部材62の表て面側を、薬剤の名称や薬剤製造メーカを表示する広告表示部、或いは、薬剤ｙの注意書きを表示する服用情報表示部とするも良い。月文字は、図示のように数字に限らず、英語表記等とするも良い。曜日文字は、図示のように漢字に限らず、英語表記等とするも良い。図５に於て、複数の曜日プレート用凹部34を１つの凹部とするも良い。また、複数の曜日プレート押出窓部33を１つの窓部とするも良い。なお、保持部材５及び薬剤押出部材７、支持脚部材８、挟持部材61、揺動部材62を、金属製とするも良い。なお、図11に於ては、薬剤押出部材７を図示省略している。
【００４３】
以上のように、本発明の服用忘れ防止万年カレンダーは、月文字が切換自在に表示される月表示部81と、曜日文字が並び替え自在に表示される曜日表示部82と、日付文字が表示された日付表示部83と、を備えた服用忘れ防止万年カレンダーであって、薬剤ｙを収納するための収容部11ａを有する包装シート11と、収容部11ａの開口部11ｂ側を密閉するカバーシート12と、を備えたＰＴＰシート１を挟持する表て板部２と裏板部３とを有し、表て板部２と裏板部３を重なるように折り畳んだ閉状態にて対応する位置に表て窓部21と裏窓部31が貫設され、閉状態と開いた開状態とに薄肉ヒンジ部４にて開閉自在とした、一枚板状の保持部材５を備え、挟持されたＰＴＰシート１の収容部11ａを、日付文字に対応する表て窓部21に、表て面２ａ側へ露出状として保持可能であり、さらに、保持部材５を閉状態に保持するロック手段６と、表て窓部21に露出された収容部11ａを押圧して薬剤ｙを裏窓部31を介して放出するための半球凸状部71を有する薬剤押出部材７と、を具備するので、日付を確認する際に、自然と薬剤ｙが視界に入り、薬剤ｙを服用すること（服用させること）を思い出させることができ、薬剤ｙの服用忘れを防止できる。薬剤ｙを服用したか否かを、表て窓部21から露出するＰＴＰシート１の収容部11ａに薬剤ｙが有るか否かを見ることで確認できる。従って、物忘れしやすい高齢者等には好適なカレンダーである。ＰＴＰシート１が交換自在で、毎年毎月、繰り返して使用できる。ＰＴＰシート１から容易にかつスムーズに薬剤ｙを取り出すことができる。１カ月単位で、多くの薬剤ｙを保持でき、長期間にわたって、毎日、服用する必要がある薬剤ｙに好適である。
【００４４】
また、薬剤押出部材７は、保持部材５に吊り下げコード70を介して取着されているので、薬剤押出部材７を、置き忘れ等により紛失する虞がない。
【００４５】
また、表て窓部21よりも、裏窓部31を大きく形成したので、薬剤ｙを痛めることなく、より容易に、そして、よりスムーズに取り出すことができる。
【００４６】
また、裏板部３は、開状態でＰＴＰシート１を位置決めするための枠状の凸条部37を有し、表て板部２は、閉状態で凸条部37が差し込まれる枠状の凹溝部27を有するので、ＰＴＰシート１を所定の位置に容易かつ確実に配置できる。保持部材５の開状態から閉状態にする際に、ＰＴＰシート１が移動して、収容部11ａが表て窓部21近傍の平面によって潰されるのを防止でき、薬剤ｙを損傷させることなく確実にＰＴＰシート１を所定の姿勢で挟持できる。
【００４７】
また、ロック手段６は、保持部材５に着脱自在な横断面コの字状の挟持部材61を備えているので、直感的にロック状態とロック解除状態の操作を行なうことができる。また、容易に製造できる。
【００４８】
または、ロック手段６は、表て板部２に直交する枢着軸心Ｅ廻りに揺動自在な横断面コの字状の揺動部材62を備えているので、ロックに必要な揺動部材62の紛失を防止できる。ロック状態とロック解除状態とに容易かつ迅速に切り換えることができる。
【００４９】
または、ロック手段６は、表て板部２及び裏板部３の一方に揺動自在に一体に設けられた揺動突片部67と、表て板部２及び裏板部３の他方に突設され揺動突片部67を係止する係止凸部68と、を備えているので、ロック手段６を構成する揺動突片部67及び係止凸部68を、表て板部２及び裏板部３と一体成形でき、部品点数が少なく、組立の手間も軽減され、大量生産に好適である。
【符号の説明】
【００５０】
１  ＰＴＰシート
２  表て板部
２ａ  表て面
３  裏板部
４  薄肉ヒンジ部
５  保持部材
６  ロック手段
７  薬剤押出部材
11  包装シート
11ａ  収容部
11ｂ  開口部
12  カバーシート
21  表て窓部
27  凹溝部
31  裏窓部
37  凸条部
61  挟持部材
62  揺動部材
67  揺動突片部
68  係止凸部
70  吊り下げコード
71  半球凸状部
81  月表示部
82  曜日表示部
83  日付表示部
Ｅ  枢着軸心
ｙ  薬剤
【図１】
2013166343.tif 000003
【図２】
2013166343.tif 000004
【図３】
2013166343.tif 000005
【図４】
2013166343.tif 000006
【図５】
2013166343.tif 000007
【図６】
2013166343.tif 000008
【図７】
2013166343.tif 000009
【図８】
2013166343.tif 000010
【図９】
2013166343.tif 000011
【図１０】
2013166343.tif 000012
【図１１】
2013166343.tif 000013
【図１２】
2013166343.tif 000014
【図１３】
2013166343.tif 000015
【図１４】
2013166343.tif 000016
【図１５】
2013166343.tif 000017